(57)【要約】
【課題】塗り絵を塗り上げるために必要となる物品類を揃えるとともに、完成した塗り絵を展示する手段を同時に提供する。
【解決手段】複数の塗り絵用下絵と、該塗り絵用下絵の色見本説明書と、１組の固形彩色具及び塗り上がった塗り絵を装着できる額縁と、これらの物品を収納できる収納体からなる塗り絵セットである。
複数の塗り絵用下絵は１つの冊子となっており、この冊子の表紙の裏面に塗り絵用色見本説明書が記載されている。表紙を開くと、塗り絵用色見本説明書と、対応する塗り絵用下絵を同時に見ることができる。
【選択図】図１
0003101237.tif 000002
【実用新案登録請求の範囲】
【請求項１】
複数の塗り絵用下絵と、該塗り絵用下絵の色見本説明書と、１組の固形彩色具及び塗り上がった塗り絵を装着できる額縁と、これらの物品を収納できる収納体からなることを特徴とする塗り絵セット。
【請求項２】
複数の塗り絵用下絵が１つの冊子となっていて、該冊子の表紙を開くと、この表紙の裏に塗り絵用下絵の色見本説明書が記載されており、色見本説明書を見ながら塗り絵用下絵に彩色できるよう形成されていることを特徴とする請求項１記載の塗り絵セット。
【請求項３】
前記収納体に収納されている塗り絵の説明が、前記収納体の側面又は蓋の表面に表示されていることを特徴とする請求項１又は２記載の塗り絵セット。
【考案の詳細な説明】
【技術分野】
【０００１】
本考案は、塗り絵を塗り上げるために必要とする物品と、塗り上がった塗り絵を展示する額縁を含む塗り絵セットに関する。
【背景技術】
【０００２】
塗り絵セットとしては、クレヨン付き塗り絵セット（例えば、特許文献１），あるいは写仏用塗り絵セット（例えば、特許文献２），小冊子付きカードセット（例えば、特許文献３）などが提案されている。これらは、塗り絵用下絵のほか、塗り絵を塗り上げるために必要な種々の物品を取り揃えてセットとしたものである。
【特許文献１】実開昭６２−６９２７３号公報
【特許文献２】登録実用新案３０７１８３９号公報
【特許文献３】登録実用新案３０１４２４３号公報
【考案の開示】
【考案が解決しようとする課題】
【０００３】
前記各種考案において、塗り絵を塗り上げるために必要な物品類は取り揃えているものの、塗り上がった塗り絵を整理保管し、希望する塗り絵を必要に応じて取り出して展示する手段については触れていない。
塗り絵は、塗り絵を作製することで趣味を満足させるとともに、出来上がった塗り絵を鑑賞することも重要な活用方法であり、本考案はこのための手段をも提供しようとするものである。
【課題を解決するための手段】
【０００４】
上記課題を解決するために本考案は以下のことを最も主要な特徴とする。
（１）複数の塗り絵用下絵と、該塗り絵用下絵の色見本説明書と、１組の固形彩色具及び塗り上がった塗り絵を装着できる額縁と、これらの物品を収納できる収納体からなることを特徴とする塗り絵セットである。
（２）複数の塗り絵用下絵が１つの冊子となっていて、該冊子の表紙を開くと、この表紙の裏に塗り絵用下絵の色見本説明書が記載されており、色見本説明書を見ながら塗り絵用下絵に彩色できるよう形成されていることを特徴とする請求項１記載の塗り絵セットである。
（３）前記収納体に収納されている塗り絵の説明が、前記収納体の側面又は蓋の表面に表示されていることを特徴とする前項１又は２記載の塗り絵セットである。
【考案の効果】
【０００５】
（１）色見本説明書を見ながら塗り絵用下絵に彩色することができるとともに、完成した塗り絵を必要に応じて容易に展示できる。
（２）色見本説明書と塗り絵用下絵が一つの冊子となっており、色見本説明書を見ながら下絵を彩色するのに便利である。
（３）収納体の側面又は蓋の表面に収納されている塗り絵の内容が表示されているため、完成した塗り絵の整理保管が便利であり、必要に応じて希望する塗り絵を容易かつ迅速に取り出して展示することができる。
【考案を実施するための最良の形態】
【０００６】
収納体は、偏平な箱型形状をなし、表面の蓋を見開き状に展開できるようにし、収納体には底に額縁が入り、その上に塗り絵用下絵が置かれているが、色見本説明書は塗り絵用下絵と同一の冊子となっている。固形彩色具は前記冊子の上に置かれている。収納体の側面及び蓋の表面には塗り絵の内容を記載した説明が表示されている。固形彩色具は、通常一組の色鉛筆セットであるが、クレヨン又はパステルあるいは固形水彩絵具を用いることもある。
【実施例１】
【０００７】
本考案の実施例を図面に基づいて説明する。図１は、本考案の塗り絵セットの斜視図であり、収納体１の蓋１ａを開いた状態である。収納体１の中には、底から順番に額縁２，塗り絵用下絵と色見本説明書が一体となった冊子及び固形彩色具４が置かれている。収納体１の蓋１ａの表面及び収納体１の側面１ｂには塗り絵の説明が通常表示されているが図１ではこれらの説明は省略されている。
【０００８】
図２は、収納体１の斜視図である。蓋１ａは、一辺を軸として見開き状に展開できるようになっている。
【０００９】
図３は、額縁３の斜視図である。額縁３は塗り絵用下絵の用紙が入る大きさとする。塗り絵用下絵は日本工業規格Ａ列４番又はＢ列５番とすることが多いが葉書大のこともあり、特に限定するものではない。
【００１０】
図４は、複数の塗り絵用下絵３ｂ，３ｂ…と、裏に色見本説明書が記載されている表紙３ａからなる冊子３の斜視図である。表紙３ａを開くと色見本説明書に記載された説明の内容が視覚できるようになっており、表紙３ａを開いた状態で、色見本説明書を見ながら塗り絵用下絵３ｂ…に彩色する。彩色が完了した塗り絵用下絵３ｂは冊子３から取り外し、その下にある他の塗り絵用下絵３ｂの彩色ができる状態とする。
【００１１】
図５は、塗り絵用下絵３ｂの１例として桜島と西田橋の風景を記載した。
【００１２】
図６は、固形彩色具４の斜視図である。複数の色鉛筆４ａ，…が収納ケース４ｂの中に収容されている。
【産業上の利用可能性】
【００１３】
本考案の塗り絵セットの利用例として全国の観光地を対象とした塗り絵セットの提供が考えられる。標題として「旅の思い出」，「旅の友」，「思い出の旅絵日記」，「旅のスケッチセット」，「楽しいぬり絵セット」等として収納箱の蓋の表面又は側面に表示し、塗り絵用下絵には、それぞれの土地の名勝の風景を記載する。
【００１４】
例えば、鹿児島地区を対象とした場合、桜島，西田橋，鶴丸城跡，桜島フェリー，路面電車，などの下絵が含まれる。そのほか、他府県の地区も同様にとりあげることができ、さらに特定の企業や団体の宣伝用ぬり絵も対象とすることができる。例えば、ハウステンボスを対象にした場合、オランダの宮殿，風車，クラシックバス，カナルクルーザーなどの下絵が含まれる。
【００１５】
あるいはプラハを対象とした場合、カレル橋，プラハ城，聖ビート大聖堂，天文時計，旧市街広場などがあげられる。これら海外観光地の場合は、現地で塗り絵を楽しむことも出来るが、帰国してから、旅の思い出を鮮明に回想して、旅の余韻を楽しみながら自宅でゆっくり彩色することもできる。あるいは、友人等に土産品として贈ることもできる。
【００１６】
塗り絵の対象として観光地以外に、例えば各種の花をとりあげることも有効と考えられる。ばら，チューリップ，ひまわり，紫陽花等各種の花の塗り絵を楽しむとともに、完成した塗り絵は室内の装飾として活用できる。
【００１７】
収納体はＡ４版大，あるいはＢ５版大と書籍等とほぼ同じサイズであるので書棚等に多数の塗り絵を分類・整理・保管できるとともに、収納体の表面にどのような塗り絵が入っているか表示されているので、多数の塗り絵の中から必要とする塗り絵を容易かつ迅速に取り出し、額縁に入れて展示できる。例えば、季節の変化に応じて適当な景色あるいは花・植物などを展示することができる。
【図面の簡単な説明】
【００１８】
【図１】塗り絵セットの斜視図である。
【図２】収納体１の斜視図である。
【図３】額縁２の斜視図である。
【図４】冊子３の斜視図である。
【図５】塗り絵用下絵（３ｂ）の１例（桜島と西田橋の風景）
【図６】固形彩色具４の斜視図である。
【符号の説明】
【００１９】
１  収納体
１ａ  収納体の蓋
１ｂ  収納体の側面
２  額縁
３  冊子
３ａ  表紙
３ｂ  塗り絵用下絵
４  固形彩色具
４ａ  色鉛筆
４ａ  ケース
【図１】
0003101237.tif 000003
【図２】
0003101237.tif 000004
【図３】
0003101237.tif 000005
【図４】
0003101237.tif 000006
【図５】
0003101237.tif 000007
【図６】
0003101237.tif 000008